(57)【要約】【課題】吸水性ポリマーの離水および白濁を防止し、高い保存安定性を有するとともに、香り強度が高く、また製造適性にも優れる芳香液およびそれを用いた芳香剤を提供する。【解決手段】アクリル酸系吸水性ポリマーに香料を担持させるための芳香液であって、パラフィン系溶剤及びナフテン系溶剤から選択される少なくとも１つの溶剤と香料とを含有する芳香液、並びにアクリル酸系吸水性ポリマー、前記芳香液及び水を含有する芳香剤によって前記課題を解決した。【選択図】なし【特許請求の範囲】
【請求項１】
アクリル酸系吸水性ポリマーに香料を担持させるための芳香液であって、パラフィン系溶剤及びナフテン系溶剤から選択される少なくとも１つの溶剤と、香料とを含有する芳香液。
【請求項２】
パラフィン系溶剤がイソパラフィンおよびノルマルパラフィンからなる群から選択される少なくとも１つである、請求項１に記載の芳香液。
【請求項３】
ナフテン系溶剤が、単環または多環のシクロアルカンおよびシクロアルケンからなる群から選択される少なくとも１つである、請求項１に記載の芳香液。
【請求項４】
アクリル酸系吸水性ポリマー、請求項１〜３のいずれか１項に記載の芳香液及び水を含有する、芳香剤。
【請求項５】
パラフィン系溶剤及びナフテン系溶剤から選択される少なくとも１つの溶剤と香料とを含有する芳香液をアクリル酸系吸水性ポリマーに担持させる、アクリル酸系吸水性ポリマー、香料及び水を含有する芳香剤の離水または白濁を防止する方法。
【発明の詳細な説明】
【技術分野】
【０００１】
本発明は、芳香液およびそれを用いた芳香剤に関する。
また本発明は、アクリル酸系吸水性ポリマー、香料及び水を含有する芳香剤の離水または白濁を防止する方法に関する。
【背景技術】
【０００２】
近年、吸水性ポリマーに香料を担持させた球状ないしブロック状に成型した芳香剤が広く使用されている。このような芳香剤は、容器から液体がこぼれないこと、透明感があり意匠性に優れること、また芳香剤の揮散後の明確な収縮終点を持たせることができるという利点がある。
一方、香料の多くは油溶性であり、溶剤としてプロピレングリコールやグリセリン、ジプロピレングリコール等が用いられている。そのため、吸水性ポリマーに香料を担時させるためには通常、香料を水に分散、溶解させるために界面活性剤を加える方法が採用されてきた（例えば特許文献１および２参照）。
【先行技術文献】
【特許文献】
【０００３】
【特許文献１】特開２０１２−２５４１８４号公報
【特許文献２】特開２０１０−２６４０９８号公報
【発明の概要】
【発明が解決しようとする課題】
【０００４】
しかしながら、界面活性剤を使用すると、香料が揮散するに従い、吸水性ポリマーに芳香液を担持させても、経時的に、吸水性ポリマーから水分が遊離してくる、所謂離水が生じ、安定性に問題がある。一方で、界面活性剤の使用により香料が吸水性ポリマー内部深くまで取り込まれ易くなるが、界面活性剤による香料の保留効果のため、香料が揮散しにくくなり、香り強度が低下してしまうという別の問題もある。香り強度を上げるためには香料の配合量を増量するのが有効であるが、この場合、さらに離水の問題が顕著となる。また、界面活性剤を使用しない場合には、ジプロピレングリコールなどの溶剤を増やすことで、香料を吸水性ポリマーに取り込ませやすくすることができるが、香り強度を上げるために芳香液中の香料濃度を増やすと離水の他、吸水性ポリマーの白濁という問題も発生する。
【０００５】
本発明は、上記課題を解決するためになされたものであり、吸水性ポリマーの離水および白濁を防止し、高い保存安定性を有するとともに、香り強度が高く、また製造適性にも優れる芳香液およびそれを用いた芳香剤を提供することを目的とする。
また本発明は、アクリル酸系吸水性ポリマー、香料及び水を含有する芳香剤の離水または白濁を防止する方法を提供することを目的とする。
【課題を解決するための手段】
【０００６】
本発明者は鋭意研究を重ねた結果、アクリル酸系吸水性ポリマーに香料を担持させるための芳香液において、特定の溶剤を使用することにより上記課題を解決できることを見出し、本発明を解決することができた。
すなわち本発明は以下の通りである。
【０００７】
１．アクリル酸系吸水性ポリマーに香料を担持させるための芳香液であって、パラフィン系溶剤及びナフテン系溶剤から選択される少なくとも１つの溶剤と、香料とを含有する芳香液。
２．パラフィン系溶剤がイソパラフィンおよびノルマルパラフィンからなる群から選択される少なくとも１つである、前記１項に記載の芳香液。
３．ナフテン系溶剤が、単環または多環のシクロアルカンおよびシクロアルケンからなる群から選択される少なくとも１つである、前記１項に記載の芳香液。
４．アクリル酸系吸水性ポリマー、前記１〜３のいずれか１項に記載の芳香液及び水を含有する、芳香剤。
５．パラフィン系溶剤及びナフテン系溶剤から選択される少なくとも１つの溶剤と香料とを含有する芳香液をアクリル酸系吸水性ポリマーに担持させる、アクリル酸系吸水性ポリマー、香料及び水を含有する芳香剤の離水または白濁を防止する方法。
【発明の効果】
【０００８】
本発明の芳香液は、パラフィン系溶剤及びナフテン系溶剤から選択される少なくとも１つの溶剤と、香料とを含有するものであるため、アクリル酸系吸水性ポリマーに担持させた際の該アクリル酸系吸水性ポリマーの離水および白濁を防止し、高い保存安定性を有するとともに、香り強度も高いという効果を奏する。
本発明の芳香剤は、アクリル酸系吸水性ポリマー、本発明の芳香液及び水を含有するものであるため、アクリル酸系吸水性ポリマーの離水および白濁を防止し、高い保存安定性を有するとともに、香り強度が高く、また製造適性にも優れるという効果を奏する。
本発明の方法は、パラフィン系溶剤及びナフテン系溶剤から選択される少なくとも１つの溶剤と香料とを含有する芳香液をアクリル酸系吸水性ポリマーに担持させることを特徴としているので、香料及び水を含有する芳香剤の離水または白濁を有効に防止することができる。
【図面の簡単な説明】
【０００９】
【図１】実施例３及び比較例３の芳香剤における吸水性ポリマーを示す図である。図１（ａ）は実施例３の芳香剤における吸水性ポリマーを示し、図１（ｂ）は比較例３の芳香剤における吸水性ポリマーを示す。
【発明を実施するための形態】
【００１０】
以下、本発明を実施するための形態について、詳細に説明する。
【００１１】
本発明の芳香液は、アクリル酸系吸水性ポリマーに香料を担持させるための芳香液であって、パラフィン系溶剤及びナフテン系溶剤から選択される少なくとも１つの溶剤と香料を含有する。
【００１２】
アクリル酸系吸水性ポリマーとしては、従来から公知の各種吸水性ポリマーを使用することができ、特に制限されない。例えば、アクリル酸やアクリル酸アルカリ金属塩の重合体又は共重合体等が挙げられ、具体的には、ポリアクリル酸及びその塩並びにポリメタクリル酸及びその塩を例示することができる。ポリアクリル酸塩やポリメタクリル酸塩としては、ナトリウム塩を好ましく用いることができる。また、アクリル酸又はメタクリル酸にマレイン酸、イタコン酸、アクリルアミド等の成分を共重合させた共重合体も使用することができる。
【００１３】
パラフィン系溶剤としては、例えば、イソパラフィンまたはノルマルパラフィンが挙げられ、イソパラフィンとしては、例えば、東燃ゼネラル石油社製のＩｓｏｐａｒ  Ｅ、Ｉｓｏｐａｒ  Ｇ、Ｉｓｏｐａｒ  Ｈ、Ｉｓｏｐａｒ  Ｌ、Ｉｓｏｐａｒ  Ｍ、出光興産社製のＩＰソルベント１０１６、ＩＰソルベント１６２０、ＩＰソルベント２０２８、ＩＰソルベント２８３５、ＩＰクリーンＥＸ等が使用できる。ノルマルパラフィンとしては、三光化学工業株式会社製のノルマルパラフィンＮＡが使用できる。
【００１４】
パラフィン系溶剤の成分としては、具体的には、ｎ−ペンタン、イソペンタン、ｎ−ヘキサン、２−メチルペンタン、３−メチルペンタン、２，２−ジメチルブタン、ｎ−ヘプタン、２−メチルヘキサン、３−エチルペンタン、２，２−ジメチルペンタン、２，３−ジメチルペンタン、ｎ−オクタン、２−メチルヘプタン、ｎ−ノナン、２−メチルオクタン、２，３，４−トリメチルペンタン、ｎ−デカン、２−メチルノナン、２−メチルデカン等が挙げられ、揮散性、保存安定性の面からイソパラフィンが好ましい。
【００１５】
ナフテン系溶剤としては、炭素数８〜１６のものが好ましく、単環であっても多環であってもよい。例えば、シクロペンタン、メチルシクロペンタン、シクロヘキサン、メチルシクロヘキサン、エチルシクロヘキサン、１，３−ジメチルシクロヘキサン、１，４−ジメチルシクロヘキサン、シクロへプタン、メチルシクロへプタン、シクロオクタン、メチルシクロオクタン、シクロノナン、シクロデカン等が挙げられ、揮散性、保存安定性の面から炭素数１０〜１３のものが好ましい。ナフテン系溶剤としては、具体的には、エクソンモービル社製のＥＸＸＯＬ  Ｄ６０等が使用できる。
【００１６】
パラフィン系溶剤及びナフテン系溶剤は、単独で使用してもよく、２種以上を併用してもよい。前記溶剤の配合量は、芳香液中、１〜５０質量％であることが好ましく、より好ましくは１０〜３０質量％である。前記範囲にすることによって香料の揮散性と保存時の安定性を高めることができる。
【００１７】
香料としては、特に制限されないが、例えば、ジャコウ、レイビョウコウ、リュウゼンコウ等の動物性香料、ペパーミント油、アビエス油、アクジョン油、アーモンド油、アンゲリカルート油、ページル油、ベルガモット油、パーチ油、ボアドローズ油、カヤブチ油、ガナンガ油、カプシカム油、キャラウェー油、カルダモン油、カシア油、セロリー油、シナモン油、シトロネラ油、コニャック油、コリアンダー油、クミン油、樟脳油、ジル油、エストゴラン油、ユーカリ油、フェンネル油、ガーリック油、ジンジャー油、グレープフルーツ油、ホップ油、レモン油、レモングラス油、ナツメグ油、マンダリン油、ハッカ油、オレンジ油、セージ油、スターアニス油、テレピン油等の植物性香料を挙げることができる。これらの香料として、合成香料又は抽出香料等の人工香料を用いることもでき、例えば、ピネン、リモネン等の炭化水素系香料、リナロール、ゲラニオール、シトロネロール、メントール、ボルネオール、ベンジルアルコール、アニスアルコール、フェニルエチルアルコール、ジヒドロミルセノール等のアルコール系香料、アネトール、オイゲノール等のフェノール系香料、ｎ−ブチルアルデヒド、イソブチルアルデヒド、ヘキシルアルデヒド、シトラール、シトロネラール、ベンズアルデヒド、ヘキシルシンナミックアルデヒド等のアルデヒド系香料、カルボン、メントン、樟脳、アセトフェノン、イオノン等のケトン系香料、γ―ブチルラクトン、クマリン、シネオール等のラクトン系香料、オクチルアセテート、ベンジルアセテート、シンナミルアセテート、プロピオン酸ブチル、安息香酸メチル、ブチルシクロへキシルアセテート、リナリルアセテート等のエステル系香料、その他にもガラクソリド等が挙げられる。
【００１８】
前記香料の配合量は、芳香液中、０．１〜１０質量％であることが好ましく、より好ましくは１〜５質量％である。前記範囲にすることによって香料の香り立ちが良く、保存安定性にも優れている。
【００１９】
本発明の芳香液において、パラフィン系溶剤及びナフテン系溶剤から選択される少なくとも１つの溶剤と香料との割合は、前者：後者（質量比）として、例えば９０：１０〜１０：９０であり、好ましくは９０：１０〜６０：４０であり、さらに好ましくは９０：１０〜８０：２０である。前記範囲にすることによって吸水性ポリマーの透明性を保つことができ、製剤の終点などの視認性が良くなり、外観が向上する。
【００２０】
なお、本発明の効果を損ねない限り、本発明の芳香液に必要に応じて少量の界面活性剤を配合してもよいが、界面活性剤は実質的に配合しないことが好ましい。界面活性剤を実質的に配合しないとは、芳香液中の配合量が０．５質量％以下であることをいう。界面活性剤を使用することにより、香料が揮散するに従い、透明であった吸水性ポリマーが白濁し、意匠性が損なわれてしまう可能性がある。また、界面活性剤の使用により香料が吸水性ポリマー内部深くまで取り込まれ、揮散しにくくなり、香り強度が低下してしまう可能性もある。さらに、香料が吸水性ポリマーの内部深くに取り込まれることで、経時的に離水が起こりやすくなる。したがって、界面活性剤の配合量を実質的に配合しないことによって、吸水性ポリマーの離水および白濁を防止し、また香り強度を高くすることができる。ここで言う界面活性剤とは、芳香液に一般的に配合される公知の界面活性剤であり、例えばアニオン系界面活性剤、カチオン系界面活性剤、ノニオン系界面活性剤、両性界面活性剤が挙げられる。
【００２１】
アニオン系界面活性剤としては、例えば、高級脂肪酸石けん、石けん用素地、金属石けん、Ｎ−アシル−Ｌ−グルタミン酸トリエタノールアミン、Ｎ−アシル−Ｌ−グルタミン酸ナトリウム、アルキル硫酸ナトリウム、アルキルスルホン酸ナトリウム、ポリオキシエチレンアルキルエーテル硫酸ナトリウム、ポリオキシエチレンアルキルエーテルリン酸、ポリオキシエチレンアルキルフェニルエーテルリン酸、ヤシ油脂肪酸メチルタウリンナトリウム（Ｎ−ココイル−Ｎ−メチルタウリンナトリウム）、ラウリル硫酸トリエタノールアミン、ラウリル硫酸ナトリウム、ラウロイルサルコシンナトリウム、ラウロイルメチルβ−アラニンナトリウム液、ラウロイルメチルタウリンナトリウム等が挙げられる。
【００２２】
カチオン系界面活性剤としては、エチル硫酸ラノリン脂肪酸アミノプロピルエチルジメチルアンモニウム、塩化アルキルトリメチルアンモニウム、塩化ジアルキルジメチルアンモニウム、塩化ジステアリルジメチルアンモニウム、塩化ステアリルジメチルベンジルアンモニウム、塩化ステアリルトリメチルアンモニウム、塩化ベンザルコニウム、塩化ベンゼトニウム等が挙げられる。
【００２３】
ノニオン系界面活性剤としては、ポリオキシエチレンアルキルエーテル、ポリオキシアルキレンアルキルエーテル、ポリオキシエチレン硬化ひまし油エーテル、ポリオキシエチレン脂肪酸エステル、ポリオキシエチレンアルキルフェニルエーテル、ソルビタン脂肪酸エステル、ポリオキシエチレンソルビタン脂肪酸エステル、ショ糖脂肪酸エステル、グリセリン脂肪酸エステル、ポリオキシエチレンポリオキシプロピレンブロックポリマー、ポリオキシエチレンアルキルアミンエーテル、脂肪酸アルカノールアミド、第３級アミンオキサイド等が挙げられる。
【００２４】
両性界面活性剤としては、２−アルキル−Ｎ−カルボキシメチル−Ｎ−ヒドロキシエチルイミダゾリニウムベタイン、塩酸アルキルジアミノエチルグリシン液、ラウリルジメチルアミノ酢酸ベタイン等が挙げられる。
【００２５】
本発明では、特定の溶剤、すなわちパラフィン系溶剤及びナフテン系溶剤から選択される少なくとも１つの溶剤を含有するものであるため、上記のように界面活性剤の配合を制限した場合でも、アクリル酸系吸水性ポリマーの離水および白濁を防止し、高い保存安定性を提供することができる。また、界面活性剤による香料の吸水性ポリマー内部での滞留がないため、香り強度も高くなる。該溶剤を用いることにより上記のような効果がなぜ奏されるのか、その詳細は明らかではないが、吸水性ポリマーの内部への香料の取込みを抑え、吸水性ポリマー表面に香料が付着しやすくなることに基づくものと推測される。
【００２６】
なお、本発明の芳香液は、必要に応じて他の成分を配合してもよい。例えば、ジプロピレングリコール、プロピレングリコール、エタノール等のパラフィン系溶剤又はナフテン系溶剤を除く他の溶剤、フェノキシエタノール、パラオキシ安息香酸エステル、デヒドロ酢酸、プロピオン酸、ε−ポリリジン等の防腐剤、ＢＨＴ、ＢＨＡ等の酸化防止剤、ポリフェノール化合物、フラボノイド化合物等の消臭剤、ＩＰＭＰ、ＩＰＢＣ、ＴＢＺ、イマザリル、トリクロサン等の除菌剤、パラヒドロキシケイ皮酸等の紫外線吸収剤、赤色２号、黄色4号、黄色２０３号、青色１号、青色２号、第第色２０１号、緑色２０２号等の色素、カーボンブラック、べんがら、チタンブラック、ホワイトカーボン等の顔料等の着色剤、リン酸塩などのｐＨ調整剤、安息香酸デナトニウム、トウガラシエキス等の誤食防止剤、トランスフルトリン、エムペントリン、メトフルトリン、プロフルトリン等の殺虫成分、防虫成分、忌避成分等の成分が挙げられる。
【００２７】
本発明の芳香剤は、アクリル酸系吸水性ポリマー、本発明の芳香液及び水を含有する。
本発明の芳香剤の調製方法としては、以下の（ｉ）〜（ｉｉｉ）のいずれかの方法が挙げられる。
（ｉ）アクリル酸系吸水性ポリマーに水を添加した後に、本発明の芳香液を添加する。
（ｉｉ）アクリル酸系吸水性ポリマーに本発明の芳香液を添加した後に、水を添加する。
（ｉｉｉ）アクリル酸系吸水性ポリマーに本発明の芳香液および水を同時に添加する。
このようにして、芳香液をアクリル酸系吸水性ポリマーに担持させることができる。
なお本発明でいう「担持させる」とは、芳香液をアクリル酸系吸水性ポリマーの表面に付着させること、または芳香液をアクリル酸系吸水性ポリマーの内部に入り込ませることを意味する。
【００２８】
アクリル酸系吸水性ポリマーに水を添加した後に本発明の芳香液を添加する場合（上記方法（ｉ））、該ポリマーが添加した水をすべて吸収する前であっても、水をすべて吸収した後であっても、本発明の芳香液を添加し、該ポリマーに芳香液を担持させることができる。
また、アクリル酸系吸水性ポリマーに本発明の芳香液を添加した後に水を添加する場合（上記方法（ｉｉ））、該ポリマーに芳香液をすべて担持させる前であっても、芳香液をすべて担持させた後であっても、水を添加し、ポリマーを水で膨潤させることができる。
【００２９】
また上記から分かるように、本発明の芳香剤の調製方法では、各成分の添加の順番を特に問うものではない。したがって製造方法に大きい自由度が付与され、製造適性に優れる。
【００３０】
アクリル酸系吸水性ポリマーと本発明の芳香液との混合割合は、前者：後者（質量比）として、例えば２０：１〜１：１０であり、好ましくは５：１〜１：５である。
またアクリル酸系吸水性ポリマーと水との混合割合は、前者：後者（質量比）として、例えば１：９９〜１０：９０であり、好ましくは２：９８〜６：９４である。アクリル酸系吸水性ポリマーは水で膨潤し、水で膨潤後のポリマーは、膨潤前のポリマーに対し、その質量が通常５〜１００倍に増加する。
前記（ｉ）〜（ｉｉｉ）のいずれかの方法で、アクリル酸系吸水性ポリマーに水及び／又は芳香液を添加した後、各成分を混合し、静置または撹拌する。混合及び静置する際の温度は、それぞれ例えば、通常０〜５０℃であり、好ましくは５〜４０℃である。
【００３１】
なお本発明の芳香剤は、必要に応じて他の成分を配合してもよい。芳香液に含有されている場合は不要であるが、含有されていない場合は、ジプロピレングリコール、プロピレングリコール、エタノール等のパラフィン系溶剤又はナフテン系溶剤を除く他の溶剤、フェノキシエタノール、パラオキシ安息香酸エステル、デヒドロ酢酸、プロピオン酸、ε−ポリリジン等の防腐剤、ＢＨＴ、ＢＨＡ等の酸化防止剤、ポリフェノール化合物、フラボノイド化合物等の消臭剤、ＩＰＭＰ、ＩＰＢＣ、ＴＢＺ、イマザリル、トリクロサン等の除菌剤、パラヒドロキシケイ皮酸等の紫外線吸収剤、赤色２号、黄色4号、黄色２０３号、青色１号、青色２号、第第色２０１号、緑色２０２号等の色素、カーボンブラック、べんがら、チタンブラック、ホワイトカーボン等の顔料等の着色剤、リン酸塩などのｐＨ調整剤、安息香酸デナトニウム、トウガラシエキス等の誤食防止剤、トランスフルトリン、エムペントリン、メトフルトリン、プロフルトリン等の殺虫成分、防虫成分、忌避成分等の成分が挙げられる。
【００３２】
また本発明では、上記のようにパラフィン系溶剤及びナフテン系溶剤から選択される少なくとも１つの溶剤と香料とを含有する芳香液をアクリル酸系吸水性ポリマーに担持させることから、上記で説明した作用機序によって、芳香剤の離水または白濁を防止することができる。
【実施例】
【００３３】
以下、本発明を実施例および比較例によりさらに説明するが、本発明は下記例に制限されるものではない。
【００３４】
（芳香液の調製）
下記表１に示す配合処方にしたがい、各種成分を容器内で撹拌、混合することで芳香液を調製した。
【００３５】
【表１】
2017006155.tif 000002
【００３６】
表１中、実施例１及び比較例１に使用したローズ系香料［ＲＯＳＥ  Ｌ１１０９Ｃ（塩野香料）］は、フェニルエチルアルコール、シトロネロール、リナロールを（約４０％）含有する。
実施例２及び比較例２に使用したソープ系香料［ＨＡＳ−６４９４Ｚ（長谷川香料）］は、リナロール、へキシルシンナミックアルデヒド、ｏ−ｔｅｒｔ−ブチルシクロへキシルアセテートを（約３０％）含有する。
実施例３、実施例４、比較例３及び比較例５に使用したラベンダー系香料［ＬＡＶＥＮＤＥＲ  Ｌ１１０７Ｃ（塩野香料）］は、リナロール、フェニルエチルアルコール、リナリルアセテートを（約３０％）含有する。
比較例４に使用したグリーンハーブ系香料［グリーンハーブＬ１２７３（塩野香料）］は、ペパーミント油、ユーカリ油を（約６０％）含有する。
参考例１に使用したソープ系香料［ソープＡＳＩ１７７６（長谷川香料）］は、フェニルエチルアルコール、ジヒドロミルセノール、ｐ−ｔｅｒｔ−ブチルシクロへキシルアセテート、ガラクソリド５０ＢＢ、シトロネロール、ｏ−ｔｅｒｔ−ブチルシクロへキシルアセテート、ゲラニオールを（約７０％）含有する。
また、表１中、イソパラフィン系溶剤であるＩｓｏｐａｒ  Ｌは東燃ゼネラル石油社製を使用し、ＩＰソルベント２０２８は出光興産社製を使用し、ナフテン系溶剤であるＥＸＸＯＬ  Ｄ６０は、エクソンモービル社製を使用し、比較例５の界面活性剤には、ＰＯＥセカンダリーアルキルエーテル２種とＰＯＥ硬化ヒマシ油エーテルを混合し、使用した。
【００３７】
（芳香液の調製）
次に下記表２に示す配合処方にしたがい、各種芳香剤を調製した。
【００３８】
【表２】
2017006155.tif 000003
【００３９】
イソチアゾリノン系防腐剤としては、Ｎｉｐａｇｕａｒｄ  ＣＧ（クリアラントジャパン社製）を用いた。
【００４０】
芳香剤の調製は、表２に示す各種成分をＰＥＴボトルに充填し振盪混合することにより行った。
【００４１】
芳香剤の調製後、温度５℃または５０℃、保存期間２週間または１か月の条件で芳香剤を収容した前記ＰＥＴボトルを保存し、所定期間経過後、吸水性ポリマーの白濁の状態、離水の状態、香り強度について調べた。
【００４２】
（ポリマーの白濁評価）
吸水性ポリマーの白濁の状態は、目視により外観を評価し、濁りがなくクリアな状態のものを「透明」、それ以外で濁りが見られるものを「白濁」とした。結果を表３に示す。また、実施例３の芳香剤における吸水性ポリマーを図１（ａ）に示し、比較例３の芳香剤における吸水性ポリマーを図１（ｂ）に示す。
【００４３】
（芳香剤の離水評価）
離水の状態は、底面積２８ｃｍ２、高さ１５ｃｍの容器に各種芳香剤２００ｇを入れた際の離水面の高さにより評価した。「離水面の高さ」とは、吸水性ポリマーの上層にできた水相の高さをしめし、離水量を意味する。結果を表３に示す。
【００４４】
（芳香剤の香り評価）
香り強度は、男女各５名合計１０名の評価者による官能試験により評価した。幅９５ｃｍ×奥行き１４０ｃｍ×高さ２２０ｃｍのステンレス製官能ボックス内に実施例３又は比較例５の芳香液を使用した芳香剤を６０分間設置し、以下の５段階で香り強度を評価した。なお、実施例３の芳香剤は、界面活性剤を含有しておらず、比較例５の芳香剤は界面活性剤を４％含有する組成である。結果を表４に示す。
５：強い
４：やや強い
３：普通
２：やや弱い
１：弱い
【００４５】
【表３】
2017006155.tif 000004
【００４６】
【表４】
2017006155.tif 000005
【００４７】
実施例１、２及び３は、比較例１、２及び３の芳香液で使用された溶剤を、パラフィン系溶剤に置き換えた例であり、実施例４は比較例３の芳香液で使用された溶剤をナフテン系溶剤に置き換えた例である。その結果、実施例１〜４の芳香剤は、温度５℃または５０℃、保存期間２週間または１か月の条件で保存した場合、いずれもアクリル酸系吸水性ポリマーが白濁せず、透明の状態を保っており、高い保存安定性を有することが判明した。
これに対し、比較例１〜４及び参考例１の芳香剤は、パラフィン系溶剤またはナフテン系溶剤を使用していないので、アクリル酸系吸水性ポリマーの白濁が観察された。
比較例５の芳香剤は、界面活性剤を使用することで、アクリル酸系吸水性ポリマーが白濁せず、透明の状態を保っているが、離水量は実施例のおよそ２倍と非常に多くなっていることが確認された。
以上の結果より、パラフィン系溶剤またはナフテン系溶剤を使用した実施例１〜４の芳香剤は、離水を防止できることが判明した。
また実施例３の芳香剤は、界面活性剤を含有する比較例５の芳香剤よりも評価結果の数値の差として１と大きく異なり、香り強度が非常に高いことが判明した。
【図１】
2017006155.tif 000006